(57)【要約】【課題】袖口や裾口からの体毛や塵埃等の落下を確実に防止することができる作業服を提供する。【解決手段】袖部内側に内袖を取り付けてなる作業服において、内袖は、加圧伸縮性素材により形成される筒状体の一端を袖部内側に取り付けることで、全体が腕部に密着可能とされることを特徴とする。また、裾部内側に内裾を取り付けてなる作業服において、内裾は、加圧伸縮性素材により形成される筒状体の一端を裾部内側に取り付けることで、全体が脚部に密着可能とされることを特徴とする。【選択図】図２
2010261142.tif 000002
【特許請求の範囲】
【請求項１】
袖部内側に内袖を取り付けてなる作業服において、内袖は、加圧伸縮性素材により形成される筒状体の一端を袖部内側に取り付けることで、全体が腕部に密着可能とされることを特徴とする作業服。
【請求項２】
裾部内側に内裾を取り付けてなる作業服において、内裾は、加圧伸縮性素材により形成される筒状体の一端を裾部内側に取り付けることで、全体が脚部に密着可能とされることを特徴とする作業服。
【請求項３】
前記加圧伸縮性素材は、ポリエステル系繊維素材であることを特徴とする請求項１又は２記載の作業服。
【請求項４】
前記加圧伸縮性素材は、３ＧＴポリマー（ポリトリメチレンテレフタレート（ＰＴＴ））繊維を使用した複合繊維素材であることを特徴とする請求項１乃至３のいずれか一項記載の作業服。
【請求項５】
前記加圧伸縮性素材により形成される筒状体は、フラットロック縫いにより縫い合わせが平らとされることを特徴とする請求項１乃至４のいずれか一項記載の作業服。
【発明の詳細な説明】
【技術分野】
【０００１】
本発明は、食品工場、薬品工場、調理場等の衛生管理が必要な施設、あるいはクリーンルーム等の清浄な環境下で着用する作業服に関するものである。
【背景技術】
【０００２】
従来、食品工場や調理場等の衛生管理が必要な施設、あるいはクリーンルーム等の清浄な環境下では、白衣等の清潔な作業服を着用して作業が行われている。
そして、作業者の身体から脱落する体毛等や着衣から発生する塵埃等が、作業服内から施設内へと落下することを防止するため、袖口に内袖を付けたり、ズボンの裾口に内裾を付けたりすることが提案されている（特許文献１〜４参照。）。
【０００３】
特許文献１に記載のものは、被服の袖口やズボンの裾口に面ファスナーによって袖裾装着具を取り付けるものである。そして、装着具は、筒状本体の開口縁にゴム紐等の伸縮帯が設けられるとともに当該開口縁から所定長さ延設される径方向に伸縮自在な筒状体から構成され、当該筒状体は、作業者の手首若しくは腕周りに、又は足首若しくは脚周りに密着してフィットするように構成されるものである。
【０００４】
特許文献２に記載のものは、作業上衣の袖口付近内側に短筒状のメッシュ布の一端側を縫い付けるとともに、他端側に袋状のゴム通しを形成し、ゴム通し内に通されたゴム紐の弾力により他端側をすぼめ、当該他端を着用者の腕に密着させるものである。
【０００５】
特許文献１及び２に記載のものによれば、作業者の身体から脱落する体毛等や着衣から発生する塵埃等の落下を防止する上で一定の効果があるものと考えられる。
しかしながら、両者は、腕周りや脚周りに密着する部分の幅が制限されるものであり、作業者の動作によって袖や裾がずり上がり、体毛や塵埃等が施設内に落下してしまうおそれがある。
袖や裾のずり上がりを防止するため、腕や脚への密着力を強くすることも考えられるが、その場合、両者は、密着する部分の幅が制限されるものであることから、腕や脚を局所的に圧迫することとなり、血流を阻害したりストレスを与えるなどして、作業者の作業効率を低下させるおそれがある。
【０００６】
一方、特許文献３及び４に記載のものは、ズボンの内面にインナーガードや内筒を取り付け、それらの下部を靴下内に納めるものである。
【０００７】
特許文献３及び４に記載のものによれば、ズボンの裾がずり上がっても体毛は露出しないが、靴下から発生する塵埃等の施設内への脱落を防ぐことはできない。
【先行技術文献】
【特許文献】
【０００８】
【特許文献１】特開２００７−１６９８０８号公報
【特許文献２】特開平３−１５２２０１号公報
【特許文献３】特開２０００−３２８３１１号公報
【特許文献４】特開平３−９７９０２号公報
【発明の概要】
【発明が解決しようとする課題】
【０００９】
そこで、本発明は、袖口や裾口からの体毛や塵埃等の落下を確実に防止することができる作業服を提供することを目的とする。
【課題を解決するための手段】
【００１０】
前記目的を達成するため、本発明は、袖部内側に内袖を取り付けてなる作業服において、内袖は、加圧伸縮性素材により形成される筒状体の一端を袖部内側に取り付けることで、全体が腕部に密着可能とされることを特徴とするものである。
【００１１】
また、本発明は、裾部内側に内裾を取り付けてなる作業服において、内裾は、加圧伸縮性素材により形成される筒状体の一端を裾部内側に取り付けることで、全体が脚部に密着可能とされることを特徴とするものである。
【００１２】
本発明は、加圧伸縮性素材が、ポリエステル系繊維素材であることが好ましい。
【００１３】
本発明は、加圧伸縮性素材が、３ＧＴポリマー（ポリトリメチレンテレフタレート（ＰＴＴ））繊維を使用した複合繊維素材であることが好ましい。
【００１４】
本発明は、加圧伸縮性素材により形成される筒状体が、フラットロック縫いにより縫い合わせが平らとされることが好ましい。
【発明の効果】
【００１５】
本発明は、内袖や内裾が、加圧伸縮性素材により形成される筒状体であって全体が腕部や脚部に密着可能とされるものであるから、従来の作業服に比べ、袖や裾がずり上がりにくく、作業服の袖口や裾口からの体毛や塵埃等の落下を確実に防止することができる。
【００１６】
本発明は、内袖や内裾の加圧伸縮性素材が、ポリエステル系繊維素材からなるものであれば、ポリウレタン系素材等に比べ寸法変化が起こりにくく劣化しにくいため、作業服の袖口や裾口からの体毛や塵埃等の落下防止効果を長期に亘り継続することができる。特に、衛生管理が必要とされる施設で着用される作業服の場合、洗濯時にタンブラー乾燥など滅菌のための高温乾燥が行われることが多いが、ポリエステル系繊維素材は熱に強く形状変化しにくいため、本発明の目的を達成するための内袖や内裾の加圧伸縮性素材として好適である。
【００１７】
本発明は、内袖や内裾の加圧伸縮性素材が、３ＧＴポリマー（ポリトリメチレンテレフタレート（ＰＴＴ））繊維を使用した複合繊維素材からなるものであれば、作業者は、内袖や内裾が密着する腕部や脚部に心地よい締め付け感やほどよいフィット感を感じ、ストレスを感じることなく作業を行えるため、作業効率が低下することがない。
【００１８】
本発明は、加圧伸縮性素材により形成される筒状体が、フラットロック縫いにより縫い合わせが平らとされるものであれば、作業者は、内袖や内裾が腕部や脚部に密着しても縫い合わせによる違和感を感じることなく作業を行えるため、作業効率が低下することがない。
【００１９】
本発明によれば、内裾が密着する脚部には、加圧伸縮性素材の適度な締め付けによるマッサージ効果があり、作業者は立ち作業による足首やふくらはぎ等のむくみ等を防止できるため、作業効率の向上が期待できる。
【図面の簡単な説明】
【００２０】
【図１】本発明の作業上着の正面図。
【図２】本発明の作業上着の一部断面図。
【図３】本発明の作業ズボンの側面図。
【図４】本発明の作業ズボンの一部断面図。
【発明を実施するための形態】
【００２１】
本発明において、作業服とは、作業上着、作業ズボン、上着とズボンが一体となったつなぎ作業服を意味するものとする。また、本発明において、裾とは、ズボンの裾を意味するものとする。
以下、本発明の実施の形態を実施例に基づいて説明する。
【実施例１】
【００２２】
図１は、本発明の作業上着の正面図を示すものである。また、図２は、本発明の作業上着の一部断面図であって、袖内に内袖を取り付けた状態を示すものである。
【００２３】
作業上着１は、身頃２に袖３を縫い付けたものであり、袖３の内側には内袖４が取り付けられている。
内袖４は、加圧伸縮性素材から構成される。加圧伸縮性素材としては、ポリウレタン系素材等に比べ寸法変化が起こりにくく劣化しにくいポリエステル系繊維素材が好ましい。
また、ポリエステル系繊維素材は熱に強いため、高温乾燥によっても形状変化しにくいものである。
【００２４】
ポリエステル系繊維素材としては、特に、高い伸縮性と形状安定性、柔らかい肌触りなどの特徴から、３ＧＴポリマー繊維、即ちポリトリメチレンテレフタレート（ＰＴＴ）繊維を使用した複合繊維素材を用いることが好ましい。
内袖４が３ＧＴポリマー繊維を使用した複合繊維素材、例えばＰＴＴとポリエチレンテレフタレート（ＰＥＴ）を張り合わせたオペロンテックス（株）製の「Ｔ４００」、東レ（株）製の「フィッティ」、あるいはソロテックス（株）製の「ソロテックス（登録商標）」等を使用して形成されれば、作業者は、ほどよいフィット感を感じ違和感なく作業が行え、また、心地良い締め付け感でストレスを感じることがないため、作業効率が低下することがない。
【００２５】
内袖４は、例えば一枚布で筒状体を形成し、その一端を袖３の内側に取り付けてなるものである。前記筒状体は、フラットロック縫いにより縫い合わせが平らに形成されるものが好ましい。また、筒状体は、二枚以上の布を縫い合わせて形成されるものであってもよい。この場合も、縫い合わせはフラットロック縫いにより行われることが好ましい。
内袖４を構成する加圧伸縮性素材により形成される筒状体が、フラットロック縫いにより縫い合わせが平らとされるものであれば、作業者は、内袖４が腕部に密着しても縫い合わせによる違和感を感じることなく作業を行えるため、作業効率が低下することがない。
【００２６】
なお、内袖４は、縫合によって袖３の内側に取り付けられても良いし、面ファスナー等によって袖３の内側に着脱可能に取り付けられても良い。また、内袖４の取り付け場所は、袖３の付け根でも良いし、袖口近くでも良い。さらに、袖３は長袖であってもよい。
【００２７】
上記説明から明らかなように、本実施例の作業上着１は、内袖４が加圧伸縮性素材によって構成されることを特徴とするものであり、これによって内袖４の全体が腕部に密着可能とされるものである。
本実施例の作業上着１は、内袖４が、加圧伸縮性素材により形成される筒状体であって全体が腕部に密着可能とされるものであるから、従来の作業服に比べ袖３がずり上がりにくくなり、作業上着１の袖口からの体毛や塵埃等の落下を確実に防止することが可能となる。
なお、本実施例の内袖４は、加圧伸縮性素材によって構成され全体が腕部に密着可能とされるものであるが、例えば、図２に示すように、作業上着１の袖３の太さ寸法との関係で、内袖４の前記袖３への取り付け側一端の太さ寸法が大きくならざるを得ない場合等には、作業者が作業上着１を着用した際、内袖４全体が腕部に密着しない場合もあり得るものである。
【００２８】
本実施例においては、前合わせタイプの作業上着を例として用いたが、作業上着はかぶりタイプのものであってもよい。
【実施例２】
【００２９】
図３は、本発明の作業ズボンの側面図を示すものである。また、図４は、本発明の作業ズボンの一部断面図であって、裾内に内裾を取り付け状態を示すものである。
作業ズボン５は、身頃６の内側で膝部辺りに内裾７が取り付けられている。
【００３０】
内裾７も、実施例１の内袖４と同様の素材を用いることができる。
また、内裾７も一枚布又は二枚以上の布で筒状体を形成し、その一端を身頃６の内側に取り付けたものであって、取り付け方は、縫合によっても良いし、面ファスナー等によって着脱可能としてもよい。そして、筒状体は、フラットロック縫いにより縫い合わせが平らとされるものが好ましい。
【００３１】
上記説明から明らかなように、本実施例の作業ズボン５は、内裾７が加圧伸縮性素材によって構成されることを特徴とするものであり、これによって内裾７の全体が脚部に密着可能とされるものである。
本実施例の作業ズボン５は、内裾７が、加圧伸縮性素材により形成される筒状体であって全体が脚部に密着可能とされるものであるから、従来の作業ズボンに比べ裾がずり上がりにくくなり、作業ズボン５の裾口からの体毛や塵埃等の落下を確実に防止することが可能となる。特に、本実施例の内裾７は、靴下の上を覆うことができるため、靴下に付着する塵埃等を飛散させることがない。
【００３２】
さらに、本実施例の作業ズボン５によれば、内裾７の適度な締め付けによるマッサージ効果により、作業者は立ち作業による足首やふくらはぎ等のむくみ等を防止できるため、作業性の向上が期待できる。
【００３３】
なお、本実施例の内裾７は、加圧伸縮性素材によって構成され全体が脚部に密着可能とされるものであるが、例えば、図４に示すように、作業ズボン５の太さ寸法との関係で、内裾７の前記作業ズボン５への取り付け側一端の太さ寸法が大きくならざるを得ない場合等には、作業者が作業ズボン５を着用した際、内裾７全体が脚部に密着しない場合もあり得るものである。
【００３４】
上記各実施例では、作業服は、作業上着と作業ズボンが分離したタイプのものであったが、つなぎ作業服であってもよい。
【産業上の利用可能性】
【００３５】
本発明の作業服は、内袖が、加圧伸縮性素材により形成される筒状体であって全体が腕部に密着可能とされるものであり、また内裾が、加圧伸縮性素材により形成される筒状体であって全体が脚部に密着可能とされるものであるから、袖口や裾口からの体毛等や塵埃等の落下を確実に防ぐことができ、非常に実用性の高いものである。
【符号の説明】
【００３６】
１・・・作業上着
２・・・身頃
３・・・袖
４・・・内袖
５・・・作業ズボン
６・・・身頃
７・・・内裾
【図１】
2010261142.tif 000003
【図２】
2010261142.tif 000004
【図３】
2010261142.tif 000005
【図４】
2010261142.tif 000006